(57)【特許請求の範囲】
【請求項１】
開口部を有する筐体と、
正回転されている状態においては前記開口部から前記筐体内に空気を取り込み、逆回転されている状態においては前記筐体内の空気を前記開口部から排出するファンと、
前記ファンによって前記筐体内に取り込まれる空気に含まれる粉塵を捕捉するためのフィルタ部と、を備え、
前記フィルタ部は、前記ファンの逆回転による空気の排出方向と垂直な方向に延びる回転軸と、前記回転軸を中心に回動自在に構成された粉塵を捕捉するためのフィルタと、を有する、前記排出方向及び前記回転軸と垂直な方向に並ぶ複数のフィルタユニットによって構成され、
前記複数のフィルタユニットは、前記ファンが正回転されている状態においては、隣接する前記フィルタユニット同士が接触して前記開口部を閉塞し、前記ファンが逆回転されている状態においては、隣接する前記フィルタユニット同士が離間して、隣接する前記フィルタユニット同士の隙間に、前記筐体内の空気が排出される流路を形成する投影装置。
【請求項２】
請求項１記載の投影装置であって、
前記複数のフィルタユニットの各々は、前記ファンが逆回転されている状態においては、前記ファンが正回転されている状態における位置から前記排出方向に向かって回動して前記流路を形成する投影装置。
【請求項３】
請求項１又は２記載の投影装置であって、
前記ファンが逆回転されている状態において、前記複数のフィルタユニットの各々の前記フィルタは、前記排出方向に対して傾斜した状態となっている投影装置。
【請求項４】
請求項１から３のいずれか１項記載の投影装置であって、
前記複数のフィルタユニットの各々を駆動する駆動部を備え、
前記駆動部は、前記ファンが正回転されている状態においては、隣接する前記フィルタユニット同士を接触させ、前記ファンが逆回転されている状態においては、隣接する前記フィルタユニット同士を離間させる投影装置。
【請求項５】
請求項１から４のいずれか１項記載の投影装置であって、
前記回転軸は、鉛直方向及び前記排出方向と垂直な方向に延びる軸である投影装置。
【請求項６】
請求項１から５のいずれか１項記載の投影装置であって、
前記ファンが逆回転されている状態において前記フィルタ部を振動させる加振部を更に備える投影装置。
【請求項７】
請求項１から６のいずれか１項記載の投影装置であって、
前記開口部は、第一開口部と第二開口部を含み、
前記ファンは、画像を投影する投影モードにおいて正回転され、粉塵の除去を行うための清掃モードにおいて逆回転される吸気ファンであって、正回転されている状態においては前記第一開口部から前記筐体内に空気を取り込み、逆回転されている状態においては前記筐体内の空気を前記第一開口部から排出する吸気ファンと、前記投影モードにおいて逆回転され、前記清掃モードにおいて正回転される排気ファンであって、逆回転されている状態においては前記筐体内の空気を前記第二開口部から排出し、正回転されている状態においては前記第二開口部から前記筐体内に空気を取り込む排気ファンと、を含み、
前記吸気ファンが正回転している状態にて前記第一開口部から前記筐体内に取り込まれる空気に含まれる粉塵を捕捉するための第一の前記フィルタ部と、前記排気ファンが正回転している状態にて前記第二開口部から前記筐体内に取り込まれる空気に含まれる粉塵を捕捉するための第二の前記フィルタ部と、を備える投影装置。
【請求項８】
開口部を有する筐体と、正回転されている状態においては前記開口部から前記筐体内に空気を取り込み、逆回転されている状態においては前記筐体内の空気を前記開口部から排出するファンと、前記ファンによって前記筐体内に取り込まれる空気に含まれる粉塵を捕捉するためのフィルタ部と、を有する投影装置の制御方法であって、
前記フィルタ部は、前記ファンの逆回転による空気の排出方向と垂直な方向に延びる回転軸と、前記回転軸を中心に回動自在に構成された粉塵を捕捉するためのフィルタと、を有する、前記排出方向及び前記回転軸と垂直な方向に並ぶ複数のフィルタユニットによって構成され、
前記ファンが正回転されている状態においては、隣接する前記フィルタユニット同士を接触させて前記複数のフィルタユニットにより前記開口部を閉塞し、前記ファンが逆回転されている状態においては、隣接する前記フィルタユニット同士を離間させて、隣接する前記フィルタユニット同士の隙間に、前記筐体内の空気が排出される流路を形成する投影装置の制御方法。
【請求項９】
請求項８記載の投影装置の制御方法であって、
前記複数のフィルタユニットの各々を、前記ファンが逆回転されている状態においては、前記ファンが正回転されている状態における位置から前記排出方向に向かって回動させて前記流路を形成する投影装置の制御方法。
【請求項１０】
請求項８又は９記載の投影装置の制御方法であって、
前記ファンが逆回転されている状態においては、前記複数のフィルタユニットの各々の前記フィルタを、前記排出方向に対して傾斜した状態に制御する投影装置の制御方法。
【請求項１１】
請求項８から１０のいずれか１項記載の投影装置の制御方法であって、
前記ファンが逆回転されている状態において前記フィルタ部を振動させるステップを更に備える投影装置の制御方法。
【発明の詳細な説明】
【技術分野】
【０００１】
本発明は、投影装置とその制御方法に関する。
【背景技術】
【０００２】
投影装置としてのプロジェクタは、光源、光源からの光を空間変調する光変調素子、及び電源回路等の温度上昇の大きい部材（以下、被冷却部材という）を有するため、これらの被冷却部材を空気によって冷却するためのファンを搭載するのが一般的である。【０００３】
特許文献１には、外装を構成する筐体と、筐体に設置された開口部と、この開口部を介して正回転動作により外気を筐体内部に吸入し、逆回転動作により筐体内部の空気を電子機器の外部へ排出するファンと、開口部とファンとの間に配置され、塵埃の筐体内部への侵入を防ぐフィルタと、を備えるプロジェクタが記載されている。【０００４】
特許文献２には、外部の空気を取り込むための吸気口を有する外装筐体と、吸気口を覆い、外装筐体の内部に塵埃が侵入することを抑制する防塵フィルタとを備えるプロジェクタが記載されている。このプロジェクタは、防塵フィルタが目詰まりを起こし十分な吸気ができない場合に、防塵フィルタが動いて筐体と防塵フィルタの間に隙間を形成し、吸気量を確保している。【０００５】
特許文献３には、フィルタ交換時における筐体内部への塵埃の侵入を防ぐために、吸気口を塞ぐための蓋を有するプロジェクタが記載されている。【０００６】
特許文献４には、筐体に形成された開口部と、開口部に設けられこの開口部の開口状態を可変自在な風導板と、筐体内部に設けられ、この筐体内部に冷却空気を通過させる風量を可変自在なファンと、装置の運転時にこのファンの風量に適合するように風導板の開口状態を制御する制御手段と、を備える映像投射装置が記載されている。
【先行技術文献】
【特許文献】
【０００７】
【特許文献１】日本国特開２００８−０６０１０８号公報
【特許文献２】日本国特開２０１４−０８１６５１号公報
【特許文献３】日本国特開２００７−２４１００２号公報
【特許文献４】日本国特開２００４−２３３７９６号公報
【発明の概要】
【発明が解決しようとする課題】
【０００８】
吸気用ファンに対向して設けられる集塵用のフィルタは、吸気用ファンを正回転させて吸気しているときには、プロジェクタの筐体外部の粉塵が筐体内部に侵入するのを防ぐ役割を果たす。一方、特許文献１に記載されているように、この吸気用ファンを逆回転させた場合には、この逆回転による風圧によって、このフィルタに付着している粉塵の除去が可能となる。しかし、吸気用ファンを逆回転させると、筐体内部に粉塵が存在していた場合には、この粉塵がフィルタに付着する可能性がある。そして、吸気用ファンの正回転時には、この粉塵が筐体内部に戻ってしまうことになる。したがって、筐体内部に侵入してしまった粉塵についてはその除去が難しいという課題がある。特許文献１にはこういった課題とその解決手段について記載されていない。特許文献２−４は、吸気用ファンを逆回転させることは想定しておらず、上述した課題の認識はない。【０００９】
本発明は、上記事情に鑑みてなされたものであり、筐体内部の部材への粉塵の付着を防ぐことのできる投影装置とその制御方法を提供することを目的とする。
【課題を解決するための手段】
【００１０】
本発明の投影装置は、開口部を有する筐体と、正回転されている状態においては上記開口部から上記筐体内に空気を取り込み、逆回転されている状態においては上記筐体内の空気を上記開口部から排出するファンと、上記ファンによって上記筐体内に取り込まれる空気に含まれる粉塵を捕捉するためのフィルタ部と、を備え、上記フィルタ部は、上記ファンの逆回転による空気の排出方向と垂直な方向に延びる回転軸と、上記回転軸を中心に回動自在に構成された粉塵を捕捉するためのフィルタと、を有する、上記排出方向及び上記回転軸と垂直な方向に並ぶ複数のフィルタユニットによって構成され、上記複数のフィルタユニットは、上記ファンが正回転されている状態においては、隣接する上記フィルタユニット同士が接触して上記開口部を閉塞し、上記ファンが逆回転されている状態においては、隣接する上記フィルタユニット同士が離間して、隣接する上記フィルタユニット同士の隙間に、上記筐体内の空気が排出される流路を形成するものである。【００１１】
本発明の投影装置の制御方法は、開口部を有する筐体と、正回転されている状態においては上記開口部から上記筐体内に空気を取り込み、逆回転されている状態においては上記筐体内の空気を上記開口部から排出するファンと、上記ファンによって上記筐体内に取り込まれる空気に含まれる粉塵を捕捉するためのフィルタ部と、を有する投影装置の制御方法であって、上記フィルタ部は、上記ファンの逆回転による空気の排出方向と垂直な方向に延びる回転軸と、上記回転軸を中心に回動自在に構成された粉塵を捕捉するためのフィルタと、を有する、上記排出方向及び上記回転軸と垂直な方向に並ぶ複数のフィルタユニットによって構成され、上記ファンが正回転されている状態においては、隣接する上記フィルタユニット同士を接触させて上記複数のフィルタユニットにより上記開口部を閉塞し、上記ファンが逆回転されている状態においては、隣接する上記フィルタユニット同士を離間させて、隣接する上記フィルタユニット同士の隙間に、上記筐体内の空気が排出される流路を形成するものである。
【発明の効果】
【００１２】
本発明によれば、筐体内部の部材への粉塵の付着を防ぐことのできる投影装置とその制御方法を提供することができる。
【図面の簡単な説明】
【００１３】
【図１】本発明の投影装置の一実施形態であるプロジェクタ１００の概略構成を示す模式図である。
【図２】図１に示した吸気ファン７が正回転している状態における図１の範囲Ａの断面模式図である。
【図３】図１に示した吸気ファン７が逆回転している状態における図１の範囲Ａの断面模式図である。
【図４】図１に示した吸気ファン７が正回転している状態における図１の範囲Ａの変形例を示す断面模式図である。
【図５】図１に示した吸気ファン７が逆回転している状態における図１の範囲Ａの変形例を示す断面模式図である。
【図６】図１に示すプロジェクタ１００の第一の変形例であるプロジェクタ１００Ａの概略構成を示す模式図である。
【図７】図１に示した吸気ファン７が正回転している状態における図１の範囲Ａの変形例を示す断面模式図である。
【図８】図１に示した吸気ファン７が逆回転している状態における図１の範囲Ａの変形例を示す断面模式図である。
【図９】図１に示すプロジェクタ１００の第二の変形例であるプロジェクタ１００Ｂの概略構成を示す模式図である。
【図１０】図９に示した排気ファン８Ａが逆回転している状態における図９の範囲Ｂの断面模式図である。
【図１１】図９に示した排気ファン８Ａが正回転している状態における図９の範囲Ｂの断面模式図である。
【発明を実施するための形態】
【００１４】
以下、本発明の実施形態について図面を参照して説明する。
【００１５】
図１は、本発明の投影装置の一実施形態であるプロジェクタ１００の概略構成を示す模式図である。プロジェクタ１００は、金属又は樹脂等からなる筐体１０と、筐体１０の内部に設けられた、光源ユニット２、光変調素子３、投影光学系４、システム制御部５、吸気ファン７、及び排気ファン８と、筐体１０に形成された吸気口１０Ａに設けられたフィルタ部７０と、を備える。
【００１６】
光源ユニット２は、白色光を出射する光源２１と、カラーホイール２２と、照明光学系２３と、を備える。光源２１は、レーザ又はＬＥＤ（Ｌｉｇｈｔ  Ｅｍｉｔｔｉｎｇ  Ｄｉｏｄｅ）等の発光素子を含んで構成される。カラーホイール２２は、光源２１と照明光学系２３の間に配置されている。カラーホイール２２は、円板状の部材であり、その周方向に沿って、赤色光を透過するＲフィルタ、緑色光を透過するＧフィルタ、及び青色光を透過するＢフィルタが設けられている。カラーホイール２２は軸周りに回転され、光源２１から出射される白色光を時分割にて赤色光、緑色光、及び青色光に分光して照明光学系２３に導く。照明光学系２３から出射された光は光変調素子３に入射される。
【００１７】
光変調素子３は、照明光学系２３から出射された光を画像データに基づいて空間変調し、空間変調した光を投影光学系４に出射する。
【００１８】
図１に示すプロジェクタ１００は、光変調素子３としてＤＭＤ（Ｄｉｇｉｔａｌ  Ｍｉｃｒｏｍｉｒｒｏｒ  Ｄｅｖｉｃｅ）を用いた例であるが、光変調素子３としては、例えば、ＬＣＯＳ（Ｌｉｑｕｉｄ  ｃｒｙｓｔａｌ  ｏｎ  ｓｉｌｉｃｏｎ）、ＭＥＭＳ（Ｍｉｃｒｏ  Ｅｌｅｃｔｒｏ  Ｍｅｃｈａｎｉｃａｌ  Ｓｙｓｔｅｍｓ）素子、又は液晶表示素子等を用いることも可能である。
【００１９】
投影光学系４は、光変調素子３からの光が入射されるものであり、少なくとも１つのレンズを含む。投影光学系４を通過した光は筐体１０に設けられた開口を通って図示省略のスクリーンに投射される。
【００２０】
吸気ファン７は、筐体１０に形成された開口部によって構成される吸気口１０Ａに対向する位置に設けられている。吸気ファン７は、その回転方向を正逆切替可能となっている。吸気ファン７は、一方向に回転（正回転）されている状態においては、吸気口１０Ａから筐体１０内に空気を取り込み、この一方向の反対方向に回転（逆回転）されている状態においては、筐体１０内の空気を吸気口１０Ａから排出する。
【００２１】
吸気ファン７が正回転することによって筐体１０内に取り込まれた空気は、例えば光源２１、光変調素子３、又は図示省略の電源回路等の被冷却部材に吹き当てられて、これらを冷却する。吸気ファン７はシステム制御部５によって制御される。プロジェクタ１００において、吸気口１０Ａは開口部を構成し、吸気ファン７はファンを構成する。
【００２２】
吸気口１０Ａに設けられたフィルタ部７０は、吸気ファン７によって筐体１０内に取り込まれる空気に含まれる粉塵を捕捉するために設けられている。
【００２３】
排気ファン８は、筐体１０に形成された開口部によって構成される排気口１０Ｂに対向する位置に設けられており、筐体１０内の空気を排気口１０Ｂから排出する。排気ファン８はシステム制御部５によって制御される。排気口１０Ｂには、図示省略のフィルタが嵌合されており、このフィルタによって、排気口１０Ｂから筐体１０内への粉塵の侵入が防止されている。
【００２４】
システム制御部５は、光源ユニット２の制御、光変調素子３の制御、吸気ファン７の制御、及び排気ファン８の制御等を行うものであり、プロセッサと、ＲＯＭ（Ｒｅａｄ  Ｏｎｌｙ  Ｍｅｍｏｒｙ）と、ＲＡＭ（Ｒａｎｄｏｍ  Ａｃｃｓｅｓｓ  Ｍｅｍｏｒｙ）と、を備える。
【００２５】
プロセッサとしては、プログラムを実行して各種処理を行う汎用的なプロセッサであるＣＰＵ（Ｃｅｎｔｒａｌ  Ｐｒｏｓｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ：ＰＬＤ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。
【００２６】
これらプロセッサの構造は、より具体的には、半導体素子等の回路素子を組み合わせた電気回路である。
【００２７】
システム制御部５のプロセッサは、上述した各種のプロセッサのうちの１つで構成されてもよいし、同種又は異種の２つ以上のプロセッサの組み合わせ（例えば、複数のＦＰＧＡの組み合わせ又はＣＰＵとＦＰＧＡの組み合わせ）で構成されてもよい。
【００２８】
図２は、図１に示した吸気ファン７が正回転している状態における図１の範囲Ａの断面模式図である。図３は、図１に示した吸気ファン７が逆回転している状態における図１の範囲Ａの断面模式図である。
【００２９】
プロジェクタ１００は、図２及び図３に示された方向Ｙ１が鉛直方向となる姿勢にて使用されることを前提としている。図２及び図３に示された方向Ｙ２は鉛直方向の反対方向である。図２及び図３に示された方向Ｘ２は、吸気ファン７が正回転している状態における筐体１０内への空気の吸引方向である。図２及び図３に示された方向Ｘ１は、吸気ファン７が逆回転している状態における筐体１０内の空気の排出方向であり、方向Ｘ２の反対方向となっている。方向Ｙ１と方向Ｘ１は直交している。
【００３０】
図２及び図３に示すように、フィルタ部７０は、複数（図２及び図３の例では５個）のフィルタユニット７１を備える。フィルタユニット７１は、方向Ｘ１及び方向Ｙ１と垂直な方向（図２及び図３の紙面手前から奥に向かう方向）に延びる回転軸７２と、回転軸７２を中心に回動自在に回転軸７２により支持された、粉塵を捕捉するための例えばメッシュ状且つ平板状のフィルタ７３と、により構成されている。
【００３１】
５つのフィルタユニット７１は、回転軸７２の延びる方向及び方向Ｘ１と垂直な方向、すなわち、方向Ｙ１又は方向Ｙ２に配列されている。回転軸７２は、吸気口１０Ａに嵌合された図示省略の枠体によって支持されている。
【００３２】
フィルタ部７０の各フィルタユニット７１におけるフィルタ７３の回転軸７２側と反対側の端部（先端）の方向Ｘ１における位置は、フィルタ部７０の各フィルタユニット７１における回転軸７２の方向Ｘ１における位置よりも方向Ｘ１側（図２及び図３中の右側）となっている。
【００３３】
フィルタ部７０の各フィルタユニット７１におけるフィルタ７３は、吸気ファン７が停止している状態においては、その自重によって、方向Ｙ１側に隣接するフィルタユニット７１の回転軸７２と接触するよう構成されている。また、フィルタ部７０の各フィルタユニット７１におけるフィルタ７３は、吸気ファン７が正回転している状態においては、吸気ファン７により筐体１０内に吸引される空気Ｗ１（図２参照）の風圧と自重とによって、方向Ｙ１側に隣接するフィルタユニット７１の回転軸７２と接触するよう構成されている。このように、吸気ファン７が停止している状態と、吸気ファン７が正回転している状態とにおいて、フィルタ部７０は、５つのフィルタユニット７１によって吸気口１０Ａを閉塞する構成となっている。
【００３４】
また、フィルタ部７０の各フィルタユニット７１におけるフィルタ７３は、吸気ファン７が逆回転している状態においては、吸気ファン７によって筐体１０外に排出される空気Ｗ２（図３参照）の風圧によって、方向Ｙ１に隣接するフィルタユニット７１の回転軸７２から離間するよう構成されている。なお、フィルタ７３は、筐体１０の内部を向く側の面と方向Ｙ１とのなす角度θ（図３参照）が最大でも９０度となるように、その回動量が制限されている。図３の例では、角度θの最大値が９０度未満（例えば４５度）とされている。
【００３５】
図３に示すように、フィルタ部７０は、吸気ファン７が逆回転している状態においては、５つのフィルタユニット７１同士が離間して、隣接するフィルタユニット７１同士の隙間に、空気Ｗ２が排出される経路を形成する構成となっている。
【００３６】
以上のように構成されプロジェクタ１００には、スクリーンへの画像の投影を行う投影モードに加えて、フィルタ部７０の各フィルタ７３に捕捉された粉塵を除去するための清掃モードが設けられている。この清掃モードは、例えば、プロジェクタ１００の電源をオフにする操作がなされた場合等に自動的に開始されたり、手動にて開始させたりすることができる。
【００３７】
システム制御部５は、投影モードにおいては、吸気ファン７を正回転させる。吸気ファン７が正回転されている状態においては、図２に示すように、吸気口１０Ａは５つのフィルタユニット７１によって閉塞される。そのため、吸気口１０Ａに吸引される空気Ｗ１に含まれる粉塵は、フィルタ部７０の各フィルタ７３によって捕捉され、筐体１０内部への侵入が防止される。
【００３８】
システム制御部５は、清掃モードにおいては、吸気ファン７を逆回転させる。吸気ファン７が逆回転されている状態においては、図３に示すように、フィルタ７３が図２に示す状態から方向Ｘ１に向かって回動する。そして、吸気口１０Ａは、隣接するフィルタユニット７１同士の隙間によって部分的に開放された状態となる。そのため、筐体１０内部の空気Ｗ２は、フィルタ部７０の各フィルタ７３を通過すると共に、隣接するフィルタユニット７１同士の隙間に形成された流路も通過することになる。これにより、フィルタ７３における筐体１０を向く側の面の反対面に捕捉されていた粉塵は、フィルタ７３と上記の流路とを通過する空気Ｗ２によって方向Ｘ１へと吹き飛ばされて除去される。
【００３９】
ここで、空気Ｗ２に粉塵が含まれていた場合を想定すると、フィルタ７３における筐体１０を向く側の面には、この粉塵が付着する可能性がある。しかし、上記の流路にそって空気Ｗ２が流れることで、この面に付着した粉塵はこの流路に沿って方向Ｘ１へと吹き飛ばされて除去される。
【００４０】
システム制御部５は、清掃モードを開始してから予め決められた時間が経過すると、吸気ファン７を停止させて清掃モードを終了する。これにより、フィルタ部７０の各フィルタ７３は図３の状態から方向Ｘ２に回動して図２に示す状態に戻る。
【００４１】
以上のようにプロジェクタ１００によれば、清掃モード時において、筐体１０内部に粉塵が存在していた場合であっても、この粉塵を、フィルタユニット７１同士の隙間に形成された流路から筐体１０の外部に排出することができる。このため、投影モード時に、この粉塵が筐体１０の内部に戻ることはなく、筐体１０内部の部材への粉塵の付着を防ぐことができる。
【００４２】
また、プロジェクタ１００によれば、清掃モードにおいて吸気ファン７が逆回転されている状態においては、フィルタ部７０の各フィルタ７３が、吸気ファン７による空気Ｗ２の排出方向に向かって回動して上記の流路を形成する。このため、フィルタユニット７１同士の隙間に形成される流路の出口を吸気口１０Ａの外側に形成することができ、筐体１０内部の粉塵の除去を効果的に行うことができる。また、この構成によれば、吸気ファン７の回転により生じる風圧のみによってフィルタ７３を回動させることができ、プロジェクタ１００の小型化と製造コストの削減が可能になる。
【００４３】
また、プロジェクタ１００によれば、図３に示すように、吸気ファン７が逆回転されている状態においては、フィルタ部７０の各フィルタ７３は、空気Ｗ２の排出方向である方向Ｘ１に対して傾斜した状態となる。上述したように、角度θの最大値を９０度とすることも可能であるが、この最大値を９０度未満とすることで、フィルタ７３における筐体１０の内部を向く側の面に対し空気Ｗ２を強く吹き当てることができる。このため、筐体１０内部の粉塵の除去を効果的に行うことができる。
【００４４】
また、角度θの最大値が９０度未満となっていることで、フィルタユニット７１同士の隙間に形成される流路に沿った空気Ｗ２の流れる方向を鉛直方向に近づけることができる。このため、流路を流れる空気Ｗ２の風圧と粉塵に作用する重力との相乗効果によって、フィルタ７３の筐体１０内部を向く側の面に付着した粉塵の除去能力を高めることができる。
【００４５】
なお、プロジェクタ１００において、回転軸７２は、図示省略のモータ等の駆動部によって電気的に駆動される構成としてもよい。この場合、このモータはシステム制御部５によって制御される。そして、システム制御部５は、吸気ファン７を正回転させている図２の状態においては、モータを制御して、隣接するフィルタユニット７１同士が接触する位置にフィルタ７３を回動させる。また、システム制御部５は、吸気ファン７を逆回転させている図３の状態においては、モータを制御して、隣接するフィルタユニット７１同士が離間する位置にフィルタ７３を回動させる。
【００４６】
このように、回転軸７２を電気的に駆動する構成によれば、吸気口１０Ａを閉塞する状態と吸気口１０Ａを部分的に開放する状態とを電気的に切り替えることができる。このため、例えば、吸気ファン７の停止後又は吸気ファン７を停止させる直前のタイミング等にて、モータ制御によって吸気口１０Ａを閉塞することで、吸気口１０Ａから粉塵が侵入するのを強固に防ぐことができる。
【００４７】
また、回転軸７２をモータ駆動する構成であれば、吸気ファン７が逆回転されている状態においてフィルタユニット７１のフィルタ７３を方向Ｘ２に回動させて、隣接するフィルタユニット７１同士の隙間に流路を形成する構成を採用することができる。この構成について図４及び図５を参照して説明する。
【００４８】
図４は、図１に示した吸気ファン７が正回転している状態における図１の範囲Ａの変形例を示す断面模式図である。図５は、図１に示した吸気ファン７が逆回転している状態における図１の範囲Ａの変形例を示す断面模式図である。図４は、フィルタ部７０がフィルタ部７０Ａに変更された点を除いては図２と同じである。図５は、フィルタ部７０がフィルタ部７０Ａに変更された点を除いては図３と同じである。
【００４９】
フィルタ部７０Ａは、フィルタユニット７１のフィルタ７３の先端の位置が、回転軸７２よりも方向Ｘ２側にある点と、フィルタユニット７１の回転軸７２がモータによって駆動される点と、吸気ファン７が逆回転されている図５の状態においては、吸気ファン７が正回転されている図４の状態に対し、フィルタ７３が方向Ｘ２に回動されてフィルタユニット７１同士の隙間に流路を形成する点と、がフィルタ部７０とは異なる。
【００５０】
以上のフィルタ部７０Ａの構成であっても、図５に示すように、清掃モードにおいては、フィルタ７３が筐体１０の内部に向かって回動してフィルタユニット７１同士の隙間に流路が形成される。この流路にそって空気Ｗ２が流れることで、フィルタ７３に付着している粉塵と筐体１０内部の粉塵を筐体１０外部に排出することができる。
【００５１】
図６は、図１に示すプロジェクタ１００の第一の変形例であるプロジェクタ１００Ａの概略構成を示す模式図である。プロジェクタ１００Ａは、加振部７４が追加された点を除いてはプロジェクタ１００と同じ構成である。
【００５２】
加振部７４は、フィルタ部７０を振動させるためのデバイスであり、例えば超音波振動子とこれを駆動する駆動素子等を含んで構成されている。加振部７４はシステム制御部５によって制御される。プロジェクタ１００Ａのシステム制御部５は、吸気ファン７を逆回転させている状態においては、加振部７４を作動させて、フィルタ部７０を振動させる。プロジェクタ１００Ａのシステム制御部５は、吸気ファン７を正回転又は停止させている状態においては、加振部７４を停止する。
【００５３】
プロジェクタ１００Ａによれば、吸気ファン７が逆回転されている状態において、フィルタ部７０が振動するため、筐体１０内部の粉塵とフィルタ７３に付着した粉塵の除去効果を高めることができる。
【００５４】
図７は、図１に示した吸気ファン７が正回転している状態における図１の範囲Ａの変形例を示す断面模式図である。図８は、図１に示した吸気ファン７が逆回転している状態における図１の範囲Ａの変形例を示す断面模式図である。図７は、フィルタ部７０がフィルタ部７０Ｂに変更された点を除いては図２と同じである。図８は、フィルタ部７０がフィルタ部７０Ｂに変更された点を除いては図３と同じである。
【００５５】
図７及び図８に示したフィルタ部７０Ｂは、フィルタユニット７１における回転軸７２の位置がフィルタ部７０とは異なっている。フィルタ部７０Ｂにおけるフィルタユニット７１の回転軸７２は、フィルタ７３の中央部に位置している。このようなフィルタ部７０Ｂであっても、清掃モード時において、筐体１０内部に存在する粉塵の除去が可能である。
【００５６】
図９は、図１に示すプロジェクタ１００の第二の変形例であるプロジェクタ１００Ｂの概略構成を示す模式図である。プロジェクタ１００Ｂは、排気ファン８が排気ファン８Ａに変更された点と、吸気口１０Ａに設けられたのと同じ構造のフィルタ部７０が排気口１０Ｂにも設けられた点と、を除いては、プロジェクタ１００と同じ構成である。
【００５７】
排気ファン８Ａは、排気口１０Ｂに対向する位置に設けられている。排気ファン８Ａは、その回転方向を正逆切替可能となっている。排気ファン８Ａは、一方向に回転（正回転）されている状態においては、排気口１０Ｂから筐体１０内に空気を取り込み、この一方向の逆方向に回転（逆回転）されている状態においては、筐体１０内の空気を排気口１０Ｂから排出する。
【００５８】
プロジェクタ１００Ｂにおいて、吸気口１０Ａは第一開口部を構成し、排気口１０Ｂは第二開口部を構成する。吸気口１０Ａに設けられたフィルタ部７０は第一のフィルタ部を構成し、排気口１０Ｂに設けられたフィルタ部７０は第二のフィルタ部を構成する。
【００５９】
プロジェクタ１００Ｂのシステム制御部５は、投影モード時においては排気ファン８Ａを逆回転させ、清掃モード時においては排気ファン８Ａを正回転させる。
【００６０】
図１０は、図９に示した排気ファン８Ａが逆回転している状態における図９の範囲Ｂの断面模式図である。図１１は、図９に示した排気ファン８Ａが正回転している状態における図９の範囲Ｂの断面模式図である。
【００６１】
プロジェクタ１００Ｂは、投影モードにおいては、吸気ファン７が正回転し、吸気口１０Ａに設けられたフィルタ部７０を介して筐体１０内に空気Ｗ１を取り入れ、この空気Ｗ１によって被冷却部材を冷却する。また、投影モードにおいては、排気ファン８Ａが逆回転し、排気口１０Ｂに設けられたフィルタ部７０には、排気ファン８Ａからの風圧によって、フィルタユニット７１間に流路が形成される。このため、図１０に示すように、吸気ファン７の正回転によって筐体１０に取り入れられた空気Ｗ１は、排気口１０Ｂに形成された流路と、排気口１０Ｂに設けられたフィルタ７３との両方を通過して筐体１０の外部へと排出される。
【００６２】
プロジェクタ１００Ｂは、清掃モードにおいては、排気ファン８Ａが正回転し、排気口１０Ｂに設けられたフィルタ部７０を介して筐体１０内に空気Ｗ２を取り入れる。また、清掃モードにおいては、吸気ファン７が逆回転し、吸気口１０Ａに設けられたフィルタ部７０には、吸気ファン７からの風圧によって、フィルタユニット７１間に流路が形成される。このため、排気ファン８Ａの正回転によって筐体１０に取り入れられた空気Ｗ２は、図３に示すように、吸気口１０Ａに形成された流路と、吸気口１０Ａに設けられたフィルタ７３との両方を通過して筐体１０の外部へと排出される。
【００６３】
このように、排気口１０Ｂにもフィルタ部７０を設けることで、吸気ファン７を正回転させている状態（排気ファン８Ａを逆回転させている状態）においては、排気口１０Ｂがフィルタ部７０によって部分的に開放されるため、筐体１０内の空気の排出をスムーズに行うことができると共に、排気口１０Ｂに設けられたフィルタ部７０のフィルタ７３に付着した粉塵を外部に吹き飛ばして除去することができる。また、吸気ファン７を逆回転させている状態（排気ファン８Ａを正回転させている状態）においては、排気口１０Ｂはフィルタ部７０によって閉塞されるため、排気口１０Ｂから筐体１０内への粉塵の侵入を防ぐことができる。
【００６４】
なお、プロジェクタ１００Ｂにおいても、排気口１０Ｂに設けられたフィルタ部７０を振動させる加振部を設けることが好ましい。プロジェクタ１００Ｂのシステム制御部５は、排気ファン８Ａを逆回転させている図１０に示す状態において、この加振部を作動させてフィルタ部７０を振動させればよい。これにより、排気口１０Ｂに設けられたフィルタ部７０に付着した粉塵を効果的に除去することができる。
【００６５】
ここまで説明してきたプロジェクタ１００、１００Ａ、１００Ｂは、方向Ｘ１及び方向Ｙ１と垂直な方向（例えば図２中の紙面手前から奥に向かう方向）が鉛直方向となる姿勢にて使用されるものとしてもよい。このような使用形態であっても、清掃モードにおいて、筐体１０内部に存在する粉塵の除去が可能である。
【００６６】
以上説明してきたように、本明細書には以下の事項が開示されている。
【００６７】
（１）
開口部を有する筐体と、
正回転されている状態においては上記開口部から上記筐体内に空気を取り込み、逆回転されている状態においては上記筐体内の空気を上記開口部から排出するファンと、
上記ファンによって上記筐体内に取り込まれる空気に含まれる粉塵を捕捉するためのフィルタ部と、を備え、
上記フィルタ部は、上記ファンの逆回転による空気の排出方向と垂直な方向に延びる回転軸と、上記回転軸を中心に回動自在に構成された粉塵を捕捉するためのフィルタと、を有する、上記排出方向及び上記回転軸と垂直な方向に並ぶ複数のフィルタユニットによって構成され、
上記複数のフィルタユニットは、上記ファンが正回転されている状態においては、隣接する上記フィルタユニット同士が接触して上記開口部を閉塞し、上記ファンが逆回転されている状態においては、隣接する上記フィルタユニット同士が離間して、隣接する上記フィルタユニット同士の隙間に、上記筐体内の空気が排出される流路を形成する投影装置。
【００６８】
（２）
（１）記載の投影装置であって、
上記複数のフィルタユニットの各々は、上記ファンが逆回転されている状態においては、上記ファンが正回転されている状態における位置から上記排出方向に向かって回動して上記流路を形成する投影装置。
【００６９】
（３）
（１）又は（２）記載の投影装置であって、
上記ファンが逆回転されている状態において、上記複数のフィルタユニットの各々の上記フィルタは、上記排出方向に対して傾斜した状態となっている投影装置。
【００７０】
（４）
（１）から（３）のいずれか１つに記載の投影装置であって、
上記複数のフィルタユニットの各々を駆動する駆動部を備え、
上記駆動部は、上記ファンが正回転されている状態においては、隣接する上記フィルタユニット同士を接触させ、上記ファンが逆回転されている状態においては、隣接する上記フィルタユニット同士を離間させる投影装置。
【００７１】
（５）
（１）から（４）のいずれか１つに記載の投影装置であって、
上記回転軸は、鉛直方向及び上記排出方向と垂直な方向に延びる軸である投影装置。
【００７２】
（６）
（１）から（５）のいずれか１つに記載の投影装置であって、
上記ファンが逆回転されている状態において上記フィルタ部を振動させる加振部を更に備える投影装置。
【００７３】
（７）
（１）から（６）のいずれか１つに記載の投影装置であって、
上記開口部は、第一開口部と第二開口部を含み、
上記ファンは、画像を投影する投影モードにおいて正回転され、粉塵の除去を行うための清掃モードにおいて逆回転される吸気ファンであって、正回転されている状態においては上記第一開口部から上記筐体内に空気を取り込み、逆回転されている状態においては上記筐体内の空気を上記第一開口部から排出する吸気ファンと、上記投影モードにおいて逆回転され、上記清掃モードにおいて正回転される排気ファンであって、逆回転されている状態においては上記筐体内の空気を上記第二開口部から排出し、正回転されている状態においては上記第二開口部から上記筐体内に空気を取り込む排気ファンと、を含み、
上記吸気ファンが正回転している状態にて上記第一開口部から上記筐体内に取り込まれる空気に含まれる粉塵を捕捉するための第一の上記フィルタ部と、上記排気ファンが正回転している状態にて上記第二開口部から上記筐体内に取り込まれる空気に含まれる粉塵を捕捉するための第二の上記フィルタ部と、を備える投影装置。
【００７４】
（８）
開口部を有する筐体と、正回転されている状態においては上記開口部から上記筐体内に空気を取り込み、逆回転されている状態においては上記筐体内の空気を上記開口部から排出するファンと、上記ファンによって上記筐体内に取り込まれる空気に含まれる粉塵を捕捉するためのフィルタ部と、を有する投影装置の制御方法であって、
上記フィルタ部は、上記ファンの逆回転による空気の排出方向と垂直な方向に延びる回転軸と、上記回転軸を中心に回動自在に構成された粉塵を捕捉するためのフィルタと、を有する、上記排出方向及び上記回転軸と垂直な方向に並ぶ複数のフィルタユニットによって構成され、
上記ファンが正回転されている状態においては、隣接する上記フィルタユニット同士を接触させて上記複数のフィルタユニットにより上記開口部を閉塞し、上記ファンが逆回転されている状態においては、隣接する上記フィルタユニット同士を離間させて、隣接する上記フィルタユニット同士の隙間に、上記筐体内の空気が排出される流路を形成する投影装置の制御方法。
【００７５】
（９）
（８）記載の投影装置の制御方法であって、
上記複数のフィルタユニットの各々を、上記ファンが逆回転されている状態においては、上記ファンが正回転されている状態における位置から上記排出方向に向かって回動させて上記流路を形成する投影装置の制御方法。
【００７６】
（１０）
（８）又は（９）記載の投影装置の制御方法であって、
上記ファンが逆回転されている状態においては、上記複数のフィルタユニットの各々の上記フィルタを、上記排出方向に対して傾斜した状態に制御する投影装置の制御方法。
【００７７】
（１１）
（８）から（１０）のいずれか１つに記載の投影装置の制御方法であって、
上記ファンが逆回転されている状態において上記フィルタ部を振動させるステップを更に備える投影装置の制御方法。
【００７８】
以上、図面を参照しながら各種の実施の形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施の形態における各構成要素を任意に組み合わせてもよい。
【００７９】
なお、本出願は、２０１８年８月３１日出願の日本特許出願（特願２０１８−１６３２１２）に基づくものであり、その内容は本出願の中に参照として援用される。
【産業上の利用可能性】
【００８０】
本発明は、液晶プロジェクタ等に適用して利便性が高く、有効である。
【符号の説明】
【００８１】
１００、１００Ａ、１００Ｂ  プロジェクタ
２  光源ユニット
２１  光源
２２  カラーホイール
２３  照明光学系
３  光変調素子
４  投影光学系
５  システム制御部
７  吸気ファン
７０、７０Ａ、７０Ｂ  フィルタ部
７１  フィルタユニット
７２  回転軸
７３  フィルタ
７４  加振部
θ  角度
Ｗ１、Ｗ２  空気
８、８Ａ  排気ファン
１０  筐体
１０Ａ  吸気口
１０Ｂ  排気口
Ａ、Ｂ  範囲
【図１】
0006865331.tif 000002
【図２】
0006865331.tif 000003
【図３】
0006865331.tif 000004
【図４】
0006865331.tif 000005
【図５】
0006865331.tif 000006
【図６】
0006865331.tif 000007
【図７】
0006865331.tif 000008
【図８】
0006865331.tif 000009
【図９】
0006865331.tif 000010
【図１０】
0006865331.tif 000011
【図１１】
0006865331.tif 000012